(57)【要約】【課題】長期間にわたって撥水性を維持することができる撥水機構、並びにこの撥水機構を備えた表示装置及び信号機を提供する。【解決手段】光を透過又は反射させる光学的部材５と、複数の微細な凸部が間隔を空けて一面に形成された賦形フィルム１と、を備え、賦形フィルム１が、一面を光学的部材５とは逆側に向けて光学的部材５の表面に貼り付けられている撥水機構１０、並びにこの撥水機構１０を備えた表示装置及び信号機により課題を解決する。【選択図】図１
2016121282.tif 000002
【特許請求の範囲】
【請求項１】
光を透過又は反射させる光学的部材と、
複数の微細な凸部が間隔を空けて一面に形成された賦形フィルムと、を備え、
前記賦形フィルムが、前記一面を前記光学的部材とは逆側に向けて前記光学的部材の表面に取り付けられていることを特徴とする撥水機構。
【請求項２】
前記賦形フィルムにおける、前記複数の微細な凸部が形成される前のフィルム自体の水接触角度が７０度以上である、請求項１に記載の撥水機構。
【請求項３】
前記複数の微細な凸部が形成された前記賦形フィルムの水接触角度が１３０度以上である、請求項２に記載の撥水機構。
【請求項４】
前記複数の微細な凸部がストライプを形成している、請求項１〜３のいずれか１項に記載の撥水機構。
【請求項５】
前記複数の微細な凸部は、前記一面に付着した水分、霜及び雪を前記ストライプが延びる方向に誘導させる誘導通路を形成している、請求項４に記載の撥水機構。
【請求項６】
前記一面の表面には、フッ素樹脂層が形成されている、請求項１〜５のいずれか１項に記載の撥水機構。
【請求項７】
請求項１〜６のいずれかに記載の撥水機構を備えた表示装置であって、
内部と外部とを仕切る筐体と、
前記筐体の内部に設けられた発光体と、
前記発光体の光を前記筐体の外部に透過させる表示面と、を備え、
前記光学的部材が前記表示面を構成する表示板である、表示装置。
【請求項８】
前記表示面の上側で、前記表示面から外側に向けて突出するフードカバーを備え、
前記表示装置の外表面における、降水又は降雪が直接当たる部位に前記賦形フィルムが設けられている、請求項７に記載の表示装置。
【請求項９】
前記表示装置は、１色又は２色以上の光を発光する前記発光体を備えた信号機である、請求項７又は８に記載の表示装置としての信号機。
【発明の詳細な説明】
【技術分野】
【０００１】
本発明は、撥水機構、並びにこの撥水性機構を備えた表示装置及び信号機に関する。
【背景技術】
【０００２】
信号機等の表示装置を積雪地帯で用いる場合、表示面に水滴、雪、霜及び氷が付着することにより、表示面の視認性を低下させるという問題がある。この問題を解決するために、表示装置の表面又は表示装置に設けられたフードの表面に、フッ素樹脂微粒子とフッ素系ワニスを主成分とするはっ水性塗料を塗布することが提案されている（例えば、特許文献１）。
【０００３】
一方、自動車のフロントガラス、サイドガラス、ドアミラー、フェンダーミラー等の光学的部材、又は道路鏡等の光学的部材が降雨や水しぶきを受けることによって、可視性を低下させるという問題もある。この問題を解決するために、光触媒性酸化物粒子とシリコーンと撥水性フッ素樹脂とを含有する表面層を光学的部材に形成することが提案されている（例えば、特許文献２）。
【先行技術文献】
【特許文献】
【０００４】
【特許文献１】特開平１０−２５５１９５号公報
【特許文献２】特開平１０−２３７４３１号公報
【発明の概要】
【発明が解決しようとする課題】
【０００５】
しかしながら、特許文献１や特許文献２に示されている手法は、撥水性の塗料を表示装置の表面や光学的要素の表面に塗布するだけなので、時間の経過と共に、塗料が比較的短期間で劣化し、撥水性が低下する。
【０００６】
本発明は、上記課題を解決するためになされたものであり、その目的は、長期間にわたって撥水性を維持することができる撥水機構、並びにこの撥水機構を備えた表示装置及び信号機を提供することにある。
【課題を解決するための手段】
【０００７】
（１）上記課題を解決するための撥水機構は、光を透過又は反射させる光学的部材と、複数の微細な凸部が間隔を空けて一面に形成された賦形フィルムと、を備え、前記賦形フィルムが、前記一面を前記光学的部材とは逆側に向けて前記光学的部材の表面に貼り付けられていることを特徴とする。
【０００８】
この構成を有する撥水機構は、構造的に微細な凸部が形成された賦形フィルムを光学的部材の表面に設けているので、塗料等を塗布した構成とは異なり、時間が経過した場合でも、賦形フィルムが極端に劣化することがない。そのため、撥水機能を長期間にわたって維持することが可能である。
【０００９】
（２）上記課題を解決するための表示装置は、上記の撥水機構を備えた表示装置であって、内部と外部とを仕切る筐体と、前記筐体の内部に設けられた発光体と、前記発光体の光を前記筐体の外部に透過させる表示面と、を備え、前記光学的部材が前記表示面であることを特徴とする。
【００１０】
この構成を有する表示装置は、上記の撥水機構を表示面に適用しているので、表示面の撥水の機能を長期間にわたって維持させることができる。そのため、表示装置の視認性を長期間にわたって確保することが可能である。
【００１１】
（３）上記課題を解決するための信号機は、前記表示装置が１色又は２色以上の光を発光する前記発光体を備えていることを特徴とする。
【００１２】
この構成を有する信号機は、上記の撥水機構を表示面に適用しているので、信号機の表示面の撥水の機能を長期間にわたって維持させることができる。そのため、信号機における視認性を長期間にわたって確保することが可能である。
【発明の効果】
【００１３】
本発明に係る撥水機構、並びにこの撥水機構を備えた表示装置及び信号機によれば、長期間にわたって撥水性を維持することができる。
【図面の簡単な説明】
【００１４】
【図１】撥水機構の一部分の断面図である。
【図２】賦形フィルムの一部分の拡大断面図である。
【図３】フッ素樹脂層を設けた賦形フィルムの一部分の拡大断面図である。
【図４】賦形フィルムを用いた撥水機構を備えた表示装置としての信号機の斜視図である。
【図５】表示装置としての信号機を構成する１つの発光装置の側面図である。
【図６】表示装置としての信号機を発光装置の位置で発光装置を側方からみた信号機の部分断面図である。
【図７】表示装置の内部構造を模式的に示した構造図である。
【図８】撥水機構を適用した表示装置以外の物品を備えた車両の正面図である。
【発明を実施するための形態】
【００１５】
以下、本発明の実施形態について図面を参照しながら説明する。ただし、本発明の技術的範囲は、以下の記載や図面にのみ限定されるものではない。なお、以下に説明する光学的部材とは、ガラス等の光を透過する部材又はミラー等の光を反射する部材を意味する。また、表示装置は、例えば、道路や鉄道に設置される信号機、道路に設置される電光掲示板、道路標識、店頭に設置される看板等、発光体を発光させ、その光を人に視認させることを目的とする装置を意味する。なお、信号機は、表示装置の１つである。
【００１６】
［１］撥水機構
まず、図１を参照して、撥水機構１０の基本構成について説明する。なお、図１は、撥水機構１０の一部分の断面図である。
【００１７】
撥水機構１０は、図１に示すように、光を透過又は反射させる光学的部材５と、賦形フィルム１と、により構成されている。光学的部材５は、例えば、ガラスやレンズ等の光を透過する部材や、鏡等の光を反射する部材である。賦形フィルム１は、その一面側に複数の微細な凸部２が間隔Ｐを空けて形成されたフィルムであり、ガラスや鏡等の光学的部材５の表面に貼り付けられている。その際、複数の凸部２を備えた一面が、ガラスや鏡等の光学的部材５とは逆側に向けられて、一面とは反対側の他面が、光学的部材５に貼り付けられている。
【００１８】
［２］賦形フィルム
次に図２を参照して賦形フィルム１の詳細について説明する。なお、図２は、賦形フィルム１の一部分の拡大断面図である。
【００１９】
賦形フィルム１は、その一面に複数の微細な凸部２を備えている。複数の凸部２は、並列をなして配置されている。これに対し、賦形フィルム１の一面とは反対側の面である他面は、平坦に形成されている。凸部２と凸部２の間は、一定の間隔Ｐを有している。この凸部２と凸部２との間は複数の凹部３として構成されている。凸部２同士の間隔Ｐは、１００ｎｍ以上、６００ｎｍ以下である。また、凸部２の高さＨは、５０ｎｍ以上、１μｍ以下である。なお、凸部２同士の間隔Ｐは、好ましくは、１５０ｎｍ以上、３００ｎｍ以下にするとよく、凸部２の高さＨは、好ましくは、５０ｎｍ以上、３００ｎｍ以下にするとよい。
【００２０】
賦形フィルム１において、複数の微細な凸部２が形成される前の素材としてのフィルム自体の水接触角度は、７０度以上である。賦形フィルム１を構成するフィルム自体の水接触角度が７０度以上である場合、１００度以上の撥水性に制御することを容易に行うことが可能である。一方、賦形フィルム１は、複数の微細な凸部２が形成されることによって、水接触角度が１３０度以上となる。賦形フィルム１の水接触角度が１３０度以上である場合、一面に水滴、雪、霜及び氷が付着することを効果的に防止することが可能である。
【００２１】
この賦形フィルム１の一面に設けられている複数の凸部２は、一面に付着した水分、霜及び雪を誘導する誘導手段として機能させることができる。具体的には、複数の凸部２を相互に平行をなして延ばすことによって凸部２でストライプを形成する。ストライプを形成している凸部２は、一面に付着した水分、霜及び雪をストライプが延びる方向に誘導する誘導手段となる。このストライプは、賦形フィルム１が設けられた撥水機構１０において、雪等を誘導させたい位置に向けて延ばすことによって、一面に付着した雪等を誘導させたい位置に誘導させることができる。
【００２２】
上記の構成の賦形フィルム１は、全光線透過率に優れた材料で構成することが好ましい。このような材料としては、例えば、ポリエステル、ポリオレフィン、セルロース誘導体、ポリ（メタ）アクリル酸とそのエステル化合物、ウレタン樹脂、ポリカーボネート及びエチレン酢酸ビニルコポリマー（ＥＶＡ）等を挙げることができる。
【００２３】
賦形フィルム１の一面には、図３に示すように、表面にフッ素樹脂層４を設けることができる。なお、図３は、フッ素樹脂層４を設けた賦形フィルム１の一部分の拡大断面図である。
【００２４】
フッ素趣旨層４は、その厚さが１０ｎｍ以上、２μｍ以下に形成されている。なお、フッ素趣旨層４の厚さは、好ましくは、１００ｎｍ以上、３００ｎｍ以下に形成するとよい。このフッ素樹脂層４は、撥水性を向上させている。
【００２５】
［３］撥水機構を備えた表示装置
［３．１］信号機
次に、上述した賦形フィルム１を用いた撥水機構１０を備えた表示装置４０としての信号機２０について、図４から図６を参照して説明する。なお、図４は、賦形フィルム１を用いた撥水機構１０を備えた表示装置４０としての信号機２０の斜視図であり、図５は、表示装置４０としての信号機２０を構成する１つの発光装置３０の側面図である。また、図６は、表示装置４０としての信号機２０を発光装置３０の位置で発光装置３０を側方からみた信号機２０の部分断面図である。
【００２６】
表示装置４０としての信号機２０は、図４及び図５に示すように、外殻をなし、内部と外部とを仕切る筐体２１と、青色、黄色、及び赤色を発光させる発光装置３０とを備えている。信号機２０は、その正面に各発光装置３０の光を外部に照射するための表示面３１を発光装置３０毎に備えている。また、この信号機２０は、その正面に、前方に向けて突出するフードカバー２３を有している。
【００２７】
筐体２１は、３つの部分２２に仕切られており、その内部が３つの空間に区分けされている。３つの部分２２には、発光装置３０がそれぞれ設けられている。ただし、筐体２１は、発光装置３０を備えた部分毎に仕切られた形態には限定されず、内部が１空間によって形成されていてもよい。
【００２８】
発光装置３０は、図５に示すように、図示しない発光体と、前部をなすドーム状の表示面３１と、発光体を内部に収容するためのケース３２とを備えている。
【００２９】
表示面３１は、ガラスや透明な樹脂材等により構成されており、発光体の光を外部に透過させている。この表示面３１は、上述した撥水機構１０の光学的部材５を構成している。そして、表示面３１の外側の表面には、賦形フィルム１が設けられている。
【００３０】
賦形フィルム１は、上述したように、水接触角度が７０度以上、好ましくは、１３０度以上である。そのため、賦形フィルム１は、表示面３１の外表面に水滴、雪、霜及び氷が付着することを効果的に防止する。
【００３１】
また、賦形フィルム１の一面に、凸部２により形成された誘導手段を形成することによって、表示面３１の外表面に着いた水滴、雪、霜及び氷を表示面３１の外表面から効果的に除去することができる。賦形フィルム１の一面に誘導手段を形成する場合、複数の凸部２を上下方向に延ばして形成することによって、上下に延びるストライプを形成するとよい。上下に延びるストライプを形成することによって、複数の凸部２で構成された誘導手段は、表示面３１の外表面に着いた水滴、雪、霜及び氷を表示面３１の下側に誘導する。その結果、誘導手段は、水滴、雪、霜及び氷を表示面３１の外表面から除去する。
【００３２】
発光体は、発光ダイオードやハロゲンランプ等によって構成されている。なお、ハロゲンランプは、発行する際に熱を発することにより、表示面３１に付着した雪等を溶かすことができる。そのため、表示面３１に雪が長時間にわたり付着することがあまりない。一方、発光ダイオードは、発光に際してわずかに発熱するだけであるため、表示面３１に付着した雪等を溶かすことが困難である。そのため、発光体が発光ダイオードである信号機２０に形フィルムを用いた撥水機構１０を適用することによって、表示面３１に、水滴、雪、霜及び氷等が付着することを効果的に防止することができる。
【００３３】
フードカバー２３は、信号機２０の正面において各発光装置３０の上側にて、前方に向けて突出している。このフードカバー２３は、各発光装置３０の表示面３１の外周縁に沿って設けられており、平面視の形状が円弧状をなしている。フードカバー２３は、雪が各発光装置３０の表示面３１に直接積もることを防止している。
【００３４】
なお、信号機２０の中には、図６に示すように、各発光装置３０の前方に遮蔽板２５を設けた形態の信号機２０がある。なお、図６は、表示装置４０としての信号機２０における発光装置３０を側方からみた信号機２０の部分断面図である。
【００３５】
この遮蔽板２５は、フードカバー２３の下側にて斜めに傾けてフードカバー２３に取り付けられている。具体的には、遮蔽板２５の上部が下部よりも発光装置３０の前方に位置しており、外表面が斜め下方に向けられている。この遮蔽板２５は、透明な部材で構成されており、発光装置３０の光を外部に透過させると共に、発光装置３０の表示面３１に水滴、雪、霜及び氷等が当たることを防止している。
【００３６】
図６に示す信号機２０において、賦形フィルム１は、遮蔽板２５の外表面に設けられる。すなわち、この信号機２０では、賦形フィルム１を備えた遮蔽板２５が撥水機構１０として構成されている。賦形フィルム１を遮蔽板２５の外表面に設ける場合、賦形フィルム１の一面に設けられた複数の凸部２を上下方向に延ばして形成することによって、上下に延びるストライプを形成するとよい。上下に延びるストライプを形成することによって、複数の凸部２が遮蔽板２５の外表面に着いた水滴、雪、霜及び氷を遮蔽板２５の下側に誘導する誘導手段として機能する。
【００３７】
なお、遮蔽板２５の上側の一定の範囲は、フードカバー２３によって覆われているので、雪が直接当たることがほとんどない。そのため、遮蔽板２５の外表面に賦形フィルム１を設ける場合、図６の符号Ａで表すように、遮蔽板２５の下端から一定の範囲に設ければよい。ただし、遮蔽板２５の外表面の全面に賦形フィルム１を設けてもかまわない。
【００３８】
以上に説明した信号機２０において、フードカバー２３によっては、降水又は降雪が当たることを防止することができず、降水又は降雪が直接当たる部位に賦形フィルム１を設けることもできる。例えば、信号機２０の正面において、降水又は降雪が当たることを防止することができない部位、フードカバー２３の上面、及び筐体２１の上面や側面に設けることができる。
【００３９】
なお、フードカバー２３の上面に賦形フィルム１を設ける場合、複数の凸部２を円弧状のフードカバー２３の周方向に延ばして形成することによって、周方向に延びるストライプを形成するとよい。周方向に延びるストライプを形成することによって、複数の凸部２が、表示面３１の外表面に着いた水滴、雪、霜及び氷をフードカバー２３の周方向に沿って誘導する誘導手段として機能する。
【００４０】
なお、賦形フィルム１は、図２に示した賦形フィルム１を用いることも、図３に示した、表面にフッ素樹脂層４を設けた賦形フィルム１を用いることもできる。
【００４１】
以上、表示装置４０として、信号機２０を例にして説明した。しかしながら、上述した撥水機構１０は、信号機２０以外の表示装置４０にも適用することができる。
【００４２】
［３．２］信号機以外の表示装置
信号機２０以外の表示装置４０に撥水機構１０を適用した例について、図７を参照して説明する。なお、図７は、表示装置４０の内部構造を模式的に示した構造図である。
【００４３】
この表示装置４０は、外殻をなし、表示装置４０の内部と外部とを仕切る筐体４１と、筐体４１の内部に設けられた発光ダイオード４４と、表示装置４０の前面に設けられ、発光ダイオード４４の光を外部に透過させる表示面４２としての前面板４３とを備えている。
【００４４】
筐体４１は、当該表示装置４０の外殻をなし、表示装置４０内側と外側をと仕切っている。筐体４１の内部は空間になっている。筐体４１は、例えば、直方体等、複数の面を有する多面体により構成されている。この複数の面のうち、少なくとも一面が表示面４２である。図７に示す表示装置４０は、前面が表示面４２として構成されている。この表示面４２は、前面板４３により構成されており、発光ダイオード４４が発した光を筐体４１の外部に透過させている。
【００４５】
発光ダイオード４４は、筐体４１の内部で基板４５上に複数搭載されている。図７に示す例では、発光ダイオード４４は、表示面４２を構成する前面板４３側に向けられて基板４５上に搭載されている。各発光ダイオード４４は、当該表示装置４０の用途等に応じて直列又は並列に接続される。
【００４６】
表示面４２は、前面板４３によって構成されている。この前面板４３は透明な部材、例えばガラスや樹脂等で形成されており、発光ダイオード４４の光を外部に透過させている。そして、前面板４３の外表面には賦形フィルム１が設けられている。すなわち、前面板４３は、撥水機構１０の光学的部材５を構成しており、賦形フィルム１を設けた前面板４３が撥水機構１０を構成している。
【００４７】
上記のように構成された表示装置４０によれば、前面板４３に、水滴、雪、霜及び氷が付着することを防止することが可能である。すなわち、前面板４３の外表面に設けた賦形フィルム１は、上述したように、水接触角度が７０度以上、好ましくは、１３０度以上である。そのため、賦形フィルム１は、前面板４３の外表面に水滴、雪、霜及び氷が付着することを効果的に防止することができる。
【００４８】
なお、この表示装置４０においても、前面板４３の外表面に着いた水滴、雪、霜及び氷を前面板４３から除去するように誘導する誘導手段として機能させることができる。例えば、賦形フィルム１を前面板４３の外表面に設ける場合、賦形フィルム１の一面に設けられた複数の凸部２を上下方向に延ばして形成することによって、上下に延びるストライプを形成する。上下に延びるストライプを形成することによって、複数の凸部２が前面板４３の外表面に着いた水滴、雪、霜及び氷を前面板４３の下側に誘導する誘導手段として機能する。
【００４９】
なお、賦形フィルム１は、図２に示した賦形フィルム１を用いることも、図３に示した、表面にフッ素樹脂層４を設けた賦形フィルム１を用いることもできる。
【００５０】
［４］撥水機構を適用した表示装置以外の物品
撥水機構１０は、表示装置以外にも適用することができる。撥水機構１０を適用した表示装置以外の物品について、図８を参照して説明する。なお、図８は、撥水機構１０を適用した表示装置以外の物品を備えた車両５０の正面図である。
【００５１】
撥水機構１０は、図８に示した車両５０のサイドミラー５１、フロントガラス５２、ヘッドライト５３等にも適用することができる。
【００５２】
サイドミラー５１においては、ミラー自体が撥水機構１０の光学的部材５を構成し、賦形フィルム１を設けたミラーが撥水機構１０を構成する。サイドミラー５１は、車両５０のドアから側方に向けて突出しており、サイドミラー５１の上部に雪が積もりやすい。また、サイドミラー５１は、ミラー自体の表面に水滴、雪、霜、及び氷等が付着しやすい。このサイドミラー５１のミラー自体の表面に、上述した賦形フィルム１を設けることによって、ミラー自体の表面に水滴、雪、霜、及び氷等が付着することを効果的に防止することが可能である。
【００５３】
なお、ミラーの表面に賦形フィルム１を設ける場合、賦形フィルム１の一面に設けられた複数の凸部２を上下方向に延ばして形成することによって、上下に延びるストライプを形成する。上下に延びるストライプを形成することによって、複数の凸部２がミラーの表面に着いた水滴、雪、霜及び氷をミラーの下側に誘導する誘導手段として機能する。
【００５４】
フロントガラス５２においては、フロントガラス５２自体が撥水機構１０の光学的部材５を構成し、賦形フィルム１を設けたフロントガラス５２が撥水機構１０を構成する。フロントガラス５２は、その下部が上部よりも前方に位置しており、外表面が斜め上方に向いて傾いている。そのため、雪が積もりやすい構造になっている。また、フロントガラス５２は、雨水、霜、氷が付着しやすい。このフロントガラス５２の外表面に、上述した賦形フィルム１を設けることによって、フロントガラス５２の外表面に水滴、雪、霜、及び氷等が付着することを効果的に防止することが可能である。
【００５５】
フロントガラス５２の外表面に賦形フィルム１を設ける場合、賦形フィルム１の一面に設けられた複数の凸部２を上下方向に延ばして形成することによって、上下に延びるストライプを形成する。上下に延びるストライプを形成することによって、複数の凸部２がフロントガラス５２の外表面に着いた水滴、雪、霜及び氷をフロントガラス５２の下側に誘導する誘導手段として機能する。
【００５６】
なお、フロントガラス５２の外表面に賦形フィルム１を設ける場合、ストライプが伸びる方向は、フロントガラス５２の領域によって分けることもできる。例えば、フロントガラス５２の左右方向の中央の領域では、上記のように、上下に延びるストライプを形成する。一方、フロントガラス５２の両側の領域では、ストライプが延びる方向を斜めに傾けて、フロントガラス５２の側部の下側に雪等を誘導させてもよい。
【００５７】
ヘッドライト５３においては、ヘッドライト５３の樹脂カバーが撥水機構１０の光学的部材５を構成し、賦形フィルム１を設けた樹脂カバーが撥水機構１０を構成する。ヘッドライト５３の樹脂カバーの外表面に、上述した賦形フィルム１を設けることによって、樹脂カバーの外表面に水滴、雪、霜、及び氷等が付着することを効果的に防止することが可能である。
【００５８】
なお、賦形フィルム１は、図２に示した賦形フィルム１を用いることも、図３に示した、表面にフッ素樹脂層４を設けた賦形フィルム１を用いることもできる。
【００５９】
以上、サイドミラー５１、フロントガラス５２及びヘッドライト５３に撥水機構１０を適用した場合について説明したが、その他の物品、例えば、後部ガラス、テールランプ等に適用することもできる。
【００６０】
以上、撥水機構１０が光学的部材５で構成された場合を例に説明した。しかし、撥水機構１０は、光学的部材５とは異なる部材に賦形フィルム１を設けて構成することもできる。例えば、屋根瓦の上面に賦形フィルム１を設け、屋根瓦を撥水機構１０として構成することもできる。
【００６１】
その場合、賦形フィルム１を屋根瓦の上面に積もった雪等を屋根瓦から除去するように誘導する誘導手段として機能させることができる。例えば、屋根瓦が屋根に設置されたときに、ストライプが下側に延びるように賦形フィルム１を設けることによって、屋根瓦に積もった雪を下側に誘導する誘導手段として機能する。
【符号の説明】
【００６２】
１  賦形フィルム
２  凸部
３  凹部
４  フッ素樹脂層
５  光学的部材
１０  撥水機構
２０  信号機
２１  筐体
２３  フードカバー
２５  遮蔽板
３０  発光装置
３１  表示面
３２  ケース
４０  表示装置
４１  筐体
４２  表示面
４３  前面板
４４  発光ダイオード
４５  基板
５０  車両
５１  サイドミラー
５２  フロントガラス
５３  ヘッドライト
【図１】
2016121282.tif 000003
【図２】
2016121282.tif 000004
【図３】
2016121282.tif 000005
【図４】
2016121282.tif 000006
【図５】
2016121282.tif 000007
【図６】
2016121282.tif 000008
【図７】
2016121282.tif 000009
【図８】
2016121282.tif 000010